【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
携帯端末を制御するコンピュータに、
ａ）近距離無線通信に基づいて、前記携帯端末が画像形成装置に対して所定の範囲内に近接したか否かを判定するステップと、
ｂ）一の画像形成装置と前記携帯端末とが所定の範囲内に近接したと判定された場合に、前記一の画像形成装置のみについて、前記携帯端末との連携動作を実行する連携先装置として確定するための確認メッセージを前記携帯端末の操作手段に表示するステップと、
ｃ）ユーザによる前記確認メッセージの確認操作に応じて、前記一の画像形成装置を前記連携先装置として確定するステップと、
を実行させるためのプログラム。
【請求項２】
請求項１に記載のプログラムにおいて、
ｄ）前記一の画像形成装置を特定するための情報である装置特定用情報を前記一の画像形成装置との近距離無線通信を利用して取得するステップ、
を前記コンピュータにさらに実行させ、
前記ステップｃ）においては、前記装置特定用情報により特定される前記一の画像形成装置が前記連携先装置として確定されることを特徴とするプログラム。
【請求項３】
請求項１または請求項２に記載のプログラムにおいて、
前記プログラムは、前記連携動作を実行するアプリケーションであり、
前記ステップｂ）においては、前記アプリケーションが前記携帯端末のフォアグラウンドでの動作状態であるとき、前記アプリケーションが所定の画面を表示している状態で、前記確認メッセージが前記所定の画面に重畳して表示されることを特徴とするプログラム。
【請求項４】
請求項１ないし請求項３のいずれかに記載のプログラムにおいて、
前記プログラムは、前記連携動作を実行するアプリケーションであり、
前記ステップｂ）においては、前記アプリケーションが前記携帯端末のフォアグラウンドでの動作状態でないとき、前記携帯端末のオペレーティングシステムの通知機能を用いて前記確認メッセージが表示されることを特徴とするプログラム。
【請求項５】
請求項１ないし請求項４のいずれかに記載のプログラムにおいて、
前記プログラムは、さらに、
ｅ）前記一の画像形成装置との前記連携動作を実行するための情報が登録されていないとき、当該情報を登録することを確認するための第２の確認メッセージを表示するステップと、
ｆ）ユーザによる確認操作であって前記第２の確認メッセージの確認操作に応じて、前記一の画像形成装置を前記連携先装置として登録するステップと、
を前記コンピュータに実行させることを特徴とするプログラム。
【請求項６】
携帯端末であって、
近距離無線通信に基づいて、前記携帯端末が画像形成装置に対して所定の範囲内に近接したか否かを判定する判定手段と、
一の画像形成装置と前記携帯端末とが所定の範囲内に近接したと判定された場合に、前記一の画像形成装置のみについて、前記携帯端末との連携動作を実行する連携先装置として確定するための確認メッセージを表示する表示手段と、
ユーザによる前記確認メッセージの確認操作に応じて、前記一の画像形成装置を前記連携先装置として確定する確定手段と、
を備えることを特徴とする携帯端末。
【請求項７】
請求項６に記載の携帯端末において、
前記一の画像形成装置を特定するための情報である装置特定用情報を前記一の画像形成装置との近距離無線通信を利用して取得する取得手段、
をさらに備え、
前記確定手段は、前記装置特定用情報により特定される前記一の画像形成装置を前記連携先装置として確定することを特徴とする携帯端末。
【請求項８】
請求項６または請求項７に記載の携帯端末において、
前記表示手段は、前記連携動作を実行するアプリケーションが前記携帯端末のフォアグラウンドでの動作状態であるとき、前記アプリケーションが所定の画面を表示している状態で、前記確認メッセージを前記所定の画面に重畳して表示することを特徴とする携帯端末。
【請求項９】
請求項６ないし請求項８のいずれかに記載の携帯端末において、
前記表示手段は、前記連携動作を実行するアプリケーションが前記携帯端末のフォアグラウンドでの動作状態でないとき、前記携帯端末のオペレーティングシステムの通知機能を用いて前記確認メッセージを表示することを特徴とする携帯端末。
【請求項１０】
請求項６ないし請求項９のいずれかに記載の携帯端末において、
前記表示手段は、前記一の画像形成装置との前記連携動作を実行するための情報が登録されていないとき、当該情報を登録することを確認するための第２の確認メッセージを表示し、
前記携帯端末は、
ユーザによる確認操作であって前記第２の確認メッセージの確認操作に応じて、前記一の画像形成装置を前記連携先装置として登録する登録手段、
をさらに備えることを特徴とする携帯端末。
【請求項１１】
画像形成システムであって、
携帯端末と、
画像形成装置と、
を備え、
前記携帯端末は、
近距離無線通信に基づいて、前記携帯端末が画像形成装置に対して所定の範囲内に近接したか否かを判定する判定手段と、
一の画像形成装置と前記携帯端末とが所定の範囲内に近接したと判定された場合に、前記一の画像形成装置のみについて、前記携帯端末との連携動作を実行する連携先装置として確定するための確認メッセージを表示する表示手段と、
ユーザによる前記確認メッセージの確認操作に応じて、前記一の画像形成装置を前記連携先装置として確定する確定手段と、
を有することを特徴とする画像形成システム。
【請求項１２】
請求項１１に記載の画像形成システムにおいて、
前記一の画像形成装置は、
自装置を特定するための情報である自装置特定用情報を記憶する記憶手段と、
前記近距離無線通信により前記携帯端末から装置特定用情報の要求を受信したとき、前記記憶手段に記憶されている前記自装置特定用情報を前記携帯端末へ送信する送信手段と、
を有し、
前記携帯端末は、
前記近距離無線通信を利用して、前記一の画像形成装置を特定するための情報である前記装置特定用情報を前記一の画像形成装置に要求する要求手段と、
前記要求手段による要求に基づいて前記一の画像形成装置から送信される前記装置特定用情報を受信する受信手段と、
をさらに有し、
前記確定手段は、前記装置特定用情報により特定される前記一の画像形成装置を前記連携先装置として確定することを特徴とする画像形成システム。
【請求項１３】
請求項１１または請求項１２に記載の画像形成システムにおいて、
前記表示手段は、前記連携動作を実行するアプリケーションが前記携帯端末のフォアグラウンドでの動作状態であるとき、前記アプリケーションが所定の画面を表示している状態で、前記確認メッセージを前記所定の画面に重畳して表示することを特徴とする画像形成システム。
【請求項１４】
請求項１１ないし請求項１３のいずれかに記載の画像形成システムにおいて、
前記表示手段は、前記連携動作を実行するアプリケーションが前記携帯端末のフォアグラウンドでの動作状態でないとき、前記携帯端末のオペレーティングシステムの通知機能を用いて前記確認メッセージを表示することを特徴とする画像形成システム。
【請求項１５】
請求項１１ないし請求項１４のいずれかに記載の画像形成システムにおいて、
前記表示手段は、前記一の画像形成装置との前記連携動作を実行するための情報が登録されていないとき、当該情報を登録することを確認するための第２の確認メッセージを表示し、
前記携帯端末は、
ユーザによる確認操作であって前記第２の確認メッセージの確認操作に応じて、前記一の画像形成装置を前記連携先装置として登録する登録手段、
をさらに有することを特徴とする画像形成システム。
【手続補正２】
【補正対象書類名】明細書
【補正対象項目名】００１１
【補正方法】変更
【補正の内容】
【００１１】
上記課題を解決すべく、請求項１の発明は、携帯端末を制御するコンピュータに、ａ）近距離無線通信に基づいて、前記携帯端末が画像形成装置に対して所定の範囲内に近接したか否かを判定するステップと、ｂ）一の画像形成装置と前記携帯端末とが所定の範囲内に近接したと判定された場合に、前記一の画像形成装置のみについて、前記携帯端末との連携動作を実行する連携先装置として確定するための確認メッセージを前記携帯端末の操作手段に表示するステップと、ｃ）ユーザによる前記確認メッセージの確認操作に応じて、前記一の画像形成装置を前記連携先装置として確定するステップと、を実行させるためのプログラムであることを特徴とする。
【手続補正３】
【補正対象書類名】明細書
【補正対象項目名】００１２
【補正方法】変更
【補正の内容】
【００１２】
請求項２の発明は、請求項１の発明に係るプログラムにおいて、ｄ）前記一の画像形成装置を特定するための情報である装置特定用情報を前記一の画像形成装置との近距離無線通信を利用して取得するステップ、を前記コンピュータにさらに実行させ、前記ステップｃ）においては、前記装置特定用情報により特定される前記一の画像形成装置が前記連携先装置として確定されることを特徴とする。
【手続補正４】
【補正対象書類名】明細書
【補正対象項目名】００１３
【補正方法】変更
【補正の内容】
【００１３】
請求項３の発明は、請求項１または請求項２の発明に係るプログラムにおいて、前記プログラムは、前記連携動作を実行するアプリケーションであり、前記ステップｂ）においては、前記アプリケーションが前記携帯端末のフォアグラウンドでの動作状態であるとき、前記アプリケーションが所定の画面を表示している状態で、前記確認メッセージが前記所定の画面に重畳して表示されることを特徴とする。
【手続補正５】
【補正対象書類名】明細書
【補正対象項目名】００１４
【補正方法】変更
【補正の内容】
【００１４】
請求項４の発明は、請求項１ないし請求項３のいずれかの発明に係るプログラムにおいて、前記プログラムは、前記連携動作を実行するアプリケーションであり、前記ステップｂ）においては、前記アプリケーションが前記携帯端末のフォアグラウンドでの動作状態でないとき、前記携帯端末のオペレーティングシステムの通知機能を用いて前記確認メッセージが表示されることを特徴とする。
【手続補正６】
【補正対象書類名】明細書
【補正対象項目名】００１５
【補正方法】変更
【補正の内容】
【００１５】
請求項５の発明は、請求項１ないし請求項４のいずれかの発明に係るプログラムにおいて、前記プログラムは、さらに、ｅ）前記一の画像形成装置との前記連携動作を実行するための情報が登録されていないとき、当該情報を登録することを確認するための第２の確認メッセージを表示するステップと、ｆ）ユーザによる確認操作であって前記第２の確認メッセージの確認操作に応じて、前記一の画像形成装置を前記連携先装置として登録するステップと、を前記コンピュータに実行させることを特徴とする。
【手続補正７】
【補正対象書類名】明細書
【補正対象項目名】００１６
【補正方法】変更
【補正の内容】
【００１６】
請求項６の発明は、携帯端末であって、近距離無線通信に基づいて、前記携帯端末が画像形成装置に対して所定の範囲内に近接したか否かを判定する判定手段と、一の画像形成装置と前記携帯端末とが所定の範囲内に近接したと判定された場合に、前記一の画像形成装置のみについて、前記携帯端末との連携動作を実行する連携先装置として確定するための確認メッセージを表示する表示手段と、ユーザによる前記確認メッセージの確認操作に応じて、前記一の画像形成装置を前記連携先装置として確定する確定手段と、を備えることを特徴とする。
【手続補正８】
【補正対象書類名】明細書
【補正対象項目名】００１７
【補正方法】変更
【補正の内容】
【００１７】
請求項７の発明は、請求項６の発明に係る携帯端末において、前記一の画像形成装置を特定するための情報である装置特定用情報を前記一の画像形成装置との近距離無線通信を利用して取得する取得手段、をさらに備え、前記確定手段は、前記装置特定用情報により特定される前記一の画像形成装置を前記連携先装置として確定することを特徴とする。
【手続補正９】
【補正対象書類名】明細書
【補正対象項目名】００１８
【補正方法】変更
【補正の内容】
【００１８】
請求項８の発明は、請求項６または請求項７の発明に係る携帯端末において、前記表示手段は、前記連携動作を実行するアプリケーションが前記携帯端末のフォアグラウンドでの動作状態であるとき、前記アプリケーションが所定の画面を表示している状態で、前記確認メッセージを前記所定の画面に重畳して表示することを特徴とする。
【手続補正１０】
【補正対象書類名】明細書
【補正対象項目名】００１９
【補正方法】変更
【補正の内容】
【００１９】
請求項９の発明は、請求項６ないし請求項８のいずれかの発明に係る携帯端末において、前記表示手段は、前記連携動作を実行するアプリケーションが前記携帯端末のフォアグラウンドでの動作状態でないとき、前記携帯端末のオペレーティングシステムの通知機能を用いて前記確認メッセージを表示することを特徴とする。
【手続補正１１】
【補正対象書類名】明細書
【補正対象項目名】００２０
【補正方法】変更
【補正の内容】
【００２０】
請求項１０の発明は、請求項６ないし請求項９のいずれかの発明に係る携帯端末において、前記表示手段は、前記一の画像形成装置との前記連携動作を実行するための情報が登録されていないとき、当該情報を登録することを確認するための第２の確認メッセージを表示し、前記携帯端末は、ユーザによる確認操作であって前記第２の確認メッセージの確認操作に応じて、前記一の画像形成装置を前記連携先装置として登録する登録手段、をさらに備えることを特徴とする。
【手続補正１２】
【補正対象書類名】明細書
【補正対象項目名】００２１
【補正方法】変更
【補正の内容】
【００２１】
請求項１１の発明は、画像形成システムであって、携帯端末と、画像形成装置と、を備え、前記携帯端末は、近距離無線通信に基づいて、前記携帯端末が画像形成装置に対して所定の範囲内に近接したか否かを判定する判定手段と、一の画像形成装置と前記携帯端末とが所定の範囲内に近接したと判定された場合に、前記一の画像形成装置のみについて、前記携帯端末との連携動作を実行する連携先装置として確定するための確認メッセージを表示する表示手段と、ユーザによる前記確認メッセージの確認操作に応じて、前記一の画像形成装置を前記連携先装置として確定する確定手段と、を有することを特徴とする。
【手続補正１３】
【補正対象書類名】明細書
【補正対象項目名】００２２
【補正方法】変更
【補正の内容】
【００２２】
請求項１２の発明は、請求項１１の発明に係る画像形成システムにおいて、前記一の画像形成装置は、自装置を特定するための情報である自装置特定用情報を記憶する記憶手段と、前記近距離無線通信により前記携帯端末から装置特定用情報の要求を受信したとき、前記記憶手段に記憶されている前記自装置特定用情報を前記携帯端末へ送信する送信手段と、を有し、前記携帯端末は、前記近距離無線通信を利用して、前記一の画像形成装置を特定するための情報である前記装置特定用情報を前記一の画像形成装置に要求する要求手段と、前記要求手段による要求に基づいて前記一の画像形成装置から送信される前記装置特定用情報を受信する受信手段と、をさらに有し、前記確定手段は、前記装置特定用情報により特定される前記一の画像形成装置を前記連携先装置として確定することを特徴とする。
【手続補正１４】
【補正対象書類名】明細書
【補正対象項目名】００２３
【補正方法】変更
【補正の内容】
【００２３】
請求項１３の発明は、請求項１１または請求項１２の発明に係る画像形成システムにおいて、前記表示手段は、前記連携動作を実行するアプリケーションが前記携帯端末のフォアグラウンドでの動作状態であるとき、前記アプリケーションが所定の画面を表示している状態で、前記確認メッセージを前記所定の画面に重畳して表示することを特徴とする。
【手続補正１５】
【補正対象書類名】明細書
【補正対象項目名】００２４
【補正方法】変更
【補正の内容】
【００２４】
請求項１４の発明は、請求項１１ないし請求項１３のいずれかの発明に係る画像形成システムにおいて、前記表示手段は、前記連携動作を実行するアプリケーションが前記携帯端末のフォアグラウンドでの動作状態でないとき、前記携帯端末のオペレーティングシステムの通知機能を用いて前記確認メッセージを表示することを特徴とする。
【手続補正１６】
【補正対象書類名】明細書
【補正対象項目名】００２５
【補正方法】変更
【補正の内容】
【００２５】
請求項１５の発明は、請求項１１ないし請求項１４のいずれかの発明に係る画像形成システムにおいて、前記表示手段は、前記一の画像形成装置との前記連携動作を実行するための情報が登録されていないとき、当該情報を登録することを確認するための第２の確認メッセージを表示し、前記携帯端末は、ユーザによる確認操作であって前記第２の確認メッセージの確認操作に応じて、前記一の画像形成装置を前記連携先装置として登録する登録手段、をさらに有することを特徴とする。
【手続補正１７】
【補正対象書類名】明細書
【補正対象項目名】００２６
【補正方法】変更
【補正の内容】
【００２６】
請求項１ないし請求項１５に記載の発明によれば、一の画像形成装置とユーザの携帯端末との連携動作を行う場合において、ユーザは、携帯端末に対する連携先の一の画像形成装置がユーザの所望の画像形成装置であることを確認することが可能である。